(57)【要約】【課題】液晶装置等の電気光学装置において、消費電力を低減する。【解決手段】電気光学装置用駆動回路は、走査線１１ａを介して複数の画素部に走査信号Ｇｉを供給する走査線駆動回路１０４と、複数の画素部にデータ線を介して画像信号ＶＩＤを供給するデータ線駆動回路１０１及びサンプリング回路７と、入力画像データＤＡＴＡをデジタル信号からアナログ信号へ変換するＤＡ変換を実行して、画像信号ＶＩＤとして出力するＤＡ変換回路２００とを備える。更に、１本の走査線１１ａに対応する１ライン分の入力画像データＤＡＴＡの階調値が互いに同一である場合には、ＤＡ変換の実行を停止するように、ＤＡ変換回路２００を制御する制御回路３００を備える。【選択図】図３
2008003347.tif 000002
【特許請求の範囲】
【請求項１】
互いに交差して延びる複数のデータ線及び複数の走査線と、前記データ線及び前記走査線に夫々電気的に接続された複数の画素部とを備えた電気光学装置を駆動する電気光学装置用駆動回路であって、
前記走査線を介して前記複数の画素部に走査信号を供給する走査線駆動回路と、
前記複数の画素部に前記データ線を介して画像信号を供給する画像信号供給回路と、
画像データをデジタル信号からアナログ信号へ変換するＤＡ変換を実行し、前記アナログ信号へ変換された画像データを、前記画像信号として前記画像信号供給回路へ出力するＤＡ変換回路と、
１本の前記走査線に対応する１ライン分の前記画像データの階調値が互いに同一である場合には、前記ＤＡ変換の実行を停止するように、前記ＤＡ変換回路を制御する制御手段と
を備えたことを特徴とする電気光学装置用駆動回路。
【請求項２】
前記ＤＡ変換回路は、
第１の所定電位よりも高い電位を有する高電位基準電源と低い電位を有する低電位基準電源との間に直列に接続された複数の抵抗と、
該複数の抵抗間の各接続点から前記画像データの階調値に応じた電位を有する前記画像信号を出力する変換手段と
を備え、
前記制御手段は、前記１ライン分の前記画像データの階調値が互いに同一である場合には、前記複数の抵抗に電流が流れないように、前記ＤＡ変換回路を制御する
ことを特徴とする請求項１に記載の電気光学装置用駆動回路。
【請求項３】
前記データ線への前記画像信号の供給に先行する期間において、前記データ線をプリチャージするためのプリチャージ信号を、前記データ線に出力するプリチャージ回路を備えたことを特徴とする請求項１又は２に記載の電気光学装置用駆動回路。
【請求項４】
前記ＤＡ変換回路は、前記画像信号を、所定周期で電位が第２の所定電位に対して高位側の正極性と低位側の負極性とで極性反転するように、出力し、
前記第２の所定電位よりも高い電位を有する高電位電源及び低い電位を有する低電位電源を、前記所定周期で交互に前記データ線を介して前記画素部に供給可能な電源電位供給手段を備えたことを特徴とする請求項１から３のいずれか一項に記載の電気光学装置用駆動回路。
【請求項５】
前記画像データの階調値に対応する複数の電位のうちいずれかの電位を有する電位信号を、前記データ線に供給可能な電位信号供給手段を備えたことを特徴とする請求項１から４のいずれか一項に記載の電気光学装置用駆動回路。
【請求項６】
前記画像データの少なくとも前記１ライン分を記憶可能な記憶手段と、
該記憶手段によって記憶された前記１ライン分の前記画像データの階調値が互いに同一であるか否かを判定する判定手段と
を備えたことを特徴とする請求項１から５のいずれか一項に記載の電気光学装置用駆動回路。
【請求項７】
請求項１から６のいずれか一項に記載の電気光学装置用駆動回路と、前記複数のデータ線及び前記複数の走査線と、前記複数の画素部とを備えたことを特徴とする電気光学装置。
【請求項８】
請求項７に記載の電気光学装置を具備してなることを特徴とする電子機器。
【請求項９】
互いに交差して延びる複数のデータ線及び複数の走査線と、前記データ線及び前記走査線に夫々電気的に接続された複数の画素部とを備えた電気光学装置を駆動する電気光学装置用駆動方法であって、
前記走査線を介して前記画素部に走査信号を供給する工程と、
画像データをデジタル信号からアナログ信号へ変換するＤＡ変換を実行し、前記アナログ信号へ変換された画像データを、画像信号として出力するＤＡ変換工程と、
前記複数の画素部の各々に前記データ線を介して前記画像信号を供給する工程と
を備え、
前記ＤＡ変換工程は、１本の前記走査線に対応する１ライン分の前記画像データの階調値が互いに同一である場合には、前記ＤＡ変換の実行を停止する
ことを特徴とする電気光学装置用駆動方法。
【発明の詳細な説明】
【技術分野】
【０００１】
本発明は、例えば液晶装置等の電気光学装置に搭載される電気光学装置用駆動回路及びその駆動方法、並びに、該電気光学装置、更に該電気光学装置を備えて構成される電子機器の技術分野に関する。
【背景技術】
【０００２】
この種の駆動回路は、例えば液晶装置等の電気光学装置の基板上に、データ線を駆動するためのデータ線駆動回路や走査線を駆動するための走査線駆動回路等として作り込まれる。その動作時には、データ線駆動回路は、画像信号線に供給される画像信号をサンプリングパルスのタイミングでサンプリングし、データ線に供給するように構成される。
【０００３】
ここで、電気光学装置においては、表示階調に応じた画像信号を各データ線に供給する必要がある。一般に、表示階調は画像データ（即ち、デジタル形式の画像信号）として与えられることが多く、この種の駆動回路には、画像データをデジタル信号からアナログ信号へＤＡ（Digital to Analog）変換して画像信号として出力するＤＡ変換回路が設けられることが多い。例えば特許文献１では、直列接続された複数の抵抗を含む電圧分割型のＤＡ変換回路が開示されている。
【０００４】
【特許文献１】特開２０００−３０５５２７号公報
【発明の開示】
【発明が解決しようとする課題】
【０００５】
しかしながら、上述の如きＤＡ変換回路によって画像データの全てをＤＡ変換して画像信号としてデータ線に供給したのでは、ＤＡ変換回路内の抵抗に電流が流れることによる消費電力が増大してしまうおそれがあるという技術的問題点がある。
【０００６】
本発明は、例えば上述した問題点に鑑みなされたものであり、消費電力の低減を可能とする電気光学装置用駆動回路及び電気光学装置用駆動方法、並びにこれらを適用した電気光学装置及び電子機器を提供することを課題とする。
【課題を解決するための手段】
【０００７】
本発明に係る電気光学装置用駆動回路は上記課題を解決するために、互いに交差して延びる複数のデータ線及び複数の走査線と、前記データ線及び前記走査線に夫々電気的に接続された複数の画素部とを備えた電気光学装置を駆動する電気光学装置用駆動回路であって、前記走査線を介して前記複数の画素部に走査信号を供給する走査線駆動回路と、前記複数の画素部に前記データ線を介して画像信号を供給する画像信号供給回路と、画像データをデジタル信号からアナログ信号へ変換するＤＡ変換を実行し、前記アナログ信号へ変換された画像データを、前記画像信号として前記画像信号供給回路へ出力するＤＡ変換回路と、１本の前記走査線に対応する１ライン分の前記画像データの階調値が互いに同一である場合には、前記ＤＡ変換の実行を停止するように、前記ＤＡ変換回路を制御する制御手段とを備える。
【０００８】
本発明に係る電気光学装置用駆動回路によれば、その動作時には、走査線駆動回路が走査線を水平走査して選択した画素部列に、例えばデータ線駆動回路、サンプリング回路等から構成される画像信号供給回路がデータ線を介して画像信号を供給する。これにより、複数の画素部が例えばマトリクス状に配列された表示領域における画像表示が可能となる。
【０００９】
尚、各画素部は、例えば液晶素子、有機ＥＬ素子等の表示素子、例えばスイッチングＴＦＴ（Thin Film Transistor）等のスイッチング素子や、例えば蓄積容量等の電子素子、更に各種配線、各種電極等を含んで構成される。
【００１０】
本発明では、例えば外部回路からデジタル信号として供給される画像データが、ＤＡ変換回路によってアナログ信号に変換された後、画像信号として画像信号供給回路に供給される。ＤＡ変換回路は、例えば電圧分割型（或いは抵抗分割型）の回路として構成できる、即ち、直列接続された複数の抵抗からなるラダー回路を含んで構成できる。尚、ＤＡ変換回路は、電気光学装置を構成する基板上に内蔵回路として設けてもよいし、このような基板とは別体の例えば外付けＩＣ（Integrated Circuit）チップとして設けてもよい。
【００１１】
本発明では特に、１本の走査線に対応する１ライン分の画像データの階調値が互いに同一である場合には、制御手段による制御下で、ＤＡ変換回路によるＤＡ変換の実行が停止される。即ち、一の走査線に電気的に接続された１ライン分の複数の画素部（言い換えれば、走査線が延びる方向に沿った行方向に配列された１行分の複数の画素部）に互いに同一の階調値の画像信号が供給されるべき期間中（言い換えれば、表示画面における走査線に対応するラインが同一輝度或いは同一色で表示される期間中、例えば、横縦比が４：３の表示画面に、横縦比が１６：９のワイドサイズの画像を表示する場合などに、表示画面における上下に位置する複数のラインを黒色で表示する期間中）は、ＤＡ変換回路によるＤＡ変換が実行されない。典型的には、一又は複数のラインを同一の階調で表示する期間中には、ＤＡ変換回路への電源供給が停止される。このようにＤＡ変換の実行が停止されていても、例えば、ＤＡ変換回路から画像信号供給回路への供給経路上に存在する、不変の或いは同一の階調値を有し続ける画像信号を、前述の同一の階調で表示する期間中に繰り返しサンプリングすることや、例えば、係る不変の或いは同一の階調値を有し続ける画像信号に等しい電位の所定電位（具体的には、(i)固定電位や、(ii)基準電位に対して正負反転する矩形電位など）の電源信号を画像信号に代えてＤＡ変換回路から画像信号供給回路への供給経路上に、前述の同一の階調で表示する期間中に供給し続けることなどによって、画像信号供給回路による同一階調に係る画像信号の供給は可能である。即ち、階調値が同一である１ラインについては、ＤＡ変換の実行が停止されていても、ＤＡ変換の実行が通常通りに行われている場合と同様に、画像信号を供給可能である。このため、階調値が同一である１ラインについての表示は、画像データに対応した通りに、問題なく行われることになる。
【００１２】
よって、一又は複数のラインを同一の階調で表示する期間中にＤＡ変換回路において消費される消費電力を殆ど或いは完全に無くすことができる。従って、装置全体として低消費電力化を図ることが可能である。
【００１３】
尚、一又は複数のラインを同一の階調で表示する期間中は、画素部にはデータ線を介して、該階調に対応する電位を有する電源電位或いはプリチャージ電位が供給されることで、同一の階調のライン（即ち、同一輝度或いは同一色のライン）を表示してもよい。
【００１４】
本発明に係る電気光学装置用駆動回路の一態様では、前記ＤＡ変換回路は、第１の所定電位よりも高い電位を有する高電位基準電源と低い電位を有する低電位基準電源との間に直列に接続された複数の抵抗と、該複数の抵抗間の各接続点から前記画像データの階調値に応じた電位を有する前記画像信号を出力する変換手段とを備え、前記制御手段は、前記１ライン分の前記画像データの階調値が互いに同一である場合には、前記複数の抵抗に電流が流れないように、前記ＤＡ変換回路を制御する。
【００１５】
この態様によれば、一又は複数のラインを同一の階調で表示する期間中は、ＤＡ変換回路内の複数の抵抗に電流が流れないように、制御手段によって制御される。よって、ＤＡ変換回路の有する複数の抵抗における消費電力を殆ど或いは完全に無くすことができる。
【００１６】
本発明に係る電気光学装置用駆動回路の他の態様では、前記データ線への前記画像信号の供給に先行する期間において、前記データ線をプリチャージするためのプリチャージ信号を、前記データ線に出力するプリチャージ回路を備える。
【００１７】
この態様によれば、例えば１水平走査期間における水平帰線期間である、データ線への画像信号の供給に先行する期間において、データ線をプリチャージするためのプリチャージ信号がデータ線に供給される。よって、プリチャージ信号の電位を、一又は複数のラインを同一の階調で表示する期間中に表示すべき階調に対応した電位（例えば、黒色に対応した電位）に予め調整しておくことで、ＤＡ変換の実行が停止されている期間に同一の階調のラインを表示できる。
【００１８】
本発明に係る電気光学装置用駆動回路の他の態様では、前記ＤＡ変換回路は、前記画像信号を、所定周期で電位が第２の所定電位に対して高位側の正極性と低位側の負極性とで極性反転するように、出力し、前記第２の所定電位よりも高い電位を有する高電位電源及び低い電位を有する低電位電源を、前記所定周期で交互に前記データ線を介して前記画素部に供給可能な電源電位供給手段を備える。
【００１９】
この態様によれば、ＤＡ変換の実行が停止されている期間において、画像データがＤＡ変換されて画像信号として画素部に供給されるのに代えて、画像信号が、例えば接地電位である、若しくは該接地電位に対して正又は負の基準電位である、第２の所定電位に対して、極性反転する所定周期で、高電位電源及び低電位電源が交互に画素部に供給されることによって、同一の階調のラインを表示できる。
【００２０】
本発明に係る電気光学装置用駆動回路の他の態様では、前記画像データの階調値に対応する複数の電位のうちいずれかの電位を有する電位信号を、前記データ線に供給可能な電位信号供給手段を備える。
【００２１】
この態様によれば、一又は複数のラインを同一の階調で表示する期間中に、画像データの階調値に対応した任意の電位を有する電位信号を、データ線に供給できる。
【００２２】
本発明に係る電気光学装置用駆動回路の他の態様では、前記画像データの少なくとも前記１ライン分を記憶可能な記憶手段と、該記憶手段によって記憶された前記１ライン分の前記画像データの階調値が互いに同一であるか否かを判定する判定手段とを備える。
【００２３】
この態様によれば、判定手段によって、１ライン分の画像データの階調値が互いに同一であるか否かが判定される。このため、制御手段によって、判定手段による判定結果に基づいて、少なくとも１ライン毎にＤＡ変換の実行及び停止を制御できる。
【００２４】
本発明に係る電気光学装置は上記課題を解決するために、上述した本発明に係る電気光学装置用駆動回路（但し、各種態様を含む）と、前記複数のデータ線及び前記複数の走査線と、前記複数の画素部とを備える。
【００２５】
本発明に係る電気光学装置によれば、上述した本発明に係る電気光学装置用駆動回路を備えるので、消費電力を低減可能である。この電気光学装置は、例えば液晶装置、有機ＥＬ装置、電子ペーパ等の電気泳動装置、電子放出素子を利用した表示装置（Field Emission Display及びSurface-Conduction Electron-Emitter Display）等の各種表示装置を実現することが可能である。
【００２６】
本発明に係る電子機器は上記課題を解決するために、上述した本発明に係る電気光学装置を具備してなる。
【００２７】
本発明に係る電子機器によれば、上述した本発明に係る電気光学装置を具備しているので、消費電力を低減可能である。この電子機器は、例えば、投射型表示装置、テレビジョン受像機、携帯電話、電子手帳、ワードプロセッサ、ビューファインダ型又はモニタ直視型のビデオテープレコーダ、ワークステーション、テレビ電話、ＰＯＳ端末、タッチパネル等の各種の電子機器に適用が可能である。
【００２８】
本発明に係る電気光学装置用駆動方法は上記課題を解決するために、互いに交差して延びる複数のデータ線及び複数の走査線と、前記データ線及び前記走査線に夫々電気的に接続された複数の画素部とを備えた電気光学装置を駆動する電気光学装置用駆動方法であって、前記走査線を介して前記画素部に走査信号を供給する工程と、画像データをデジタル信号からアナログ信号へ変換するＤＡ変換を実行し、前記アナログ信号へ変換された画像データを、画像信号として出力するＤＡ変換工程と、前記複数の画素部の各々に前記データ線を介して前記画像信号を供給する工程とを備え、前記ＤＡ変換工程は、１本の前記走査線に対応する１ライン分の前記画像データの階調値が互いに同一である場合には、前記ＤＡ変換の実行を停止する。
【００２９】
本発明に係る電気光学装置用駆動方法によれば、本発明に係る電気光学装置用駆動回路の項で上述したように、１ライン分の画像データの階調値が互いに同一である場合には、ＤＡ変換の実行が停止されるので、ＤＡ変換の実行に伴う消費電力を低減できる。よって、電気光学装置全体として低消費電力化を図ることが可能である。
【００３０】
本発明の作用及び他の利得は次に説明する実施するための最良の形態から明らかにされる。
【発明を実施するための最良の形態】
【００３１】
以下では、本発明の実施形態について図を参照しつつ説明する。以下の実施形態では、本発明の電気光学装置の一例である駆動回路内蔵型のＴＦＴアクティブマトリクス駆動方式の液晶装置を例にとる。
＜第１実施形態＞
第１実施形態に係る液晶装置及びその駆動方法について、図１から図６を参照して説明する。
【００３２】
先ず、本実施形態に係る液晶装置における、電気光学パネルの一例としての液晶パネルの全体構成について、図１及び図２を参照して説明する。ここに図１は、本実施形態に係る液晶パネルの構成を示す平面図であり、図２は、図１のＨ−Ｈ´線断面図である。
【００３３】
図１及び図２において、液晶パネル１００では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、画像表示領域１０ａの周囲に位置するシール領域に設けられたシール材５２により相互に接着されている。
【００３４】
図１において、シール材５２が配置されたシール領域の内側に並行して、画像表示領域１０ａの額縁領域を規定する遮光性の額縁遮光膜５３が、対向基板２０側に設けられている。周辺領域のうち、シール材５２が配置されたシール領域の外側に位置する領域には、データ線駆動回路１０１及び外部回路接続端子１０２がＴＦＴアレイ基板１０の一辺に沿って設けられている。この一辺に沿ったシール領域よりも内側に、サンプリング回路７が額縁遮光膜５３に覆われるようにして設けられている。尚、データ線駆動回路１０１及びサンプリング回路７は、本発明に係る「画像信号供給回路」の一例を構成している。走査線駆動回路１０４は、この一辺に隣接する２辺に沿ったシール領域の内側に、額縁遮光膜５３に覆われるようにして設けられている。更に、ＴＦＴアレイ基板１０の残る一辺に沿って、且つ額縁遮光膜５３に覆われるようにしてプリチャージ回路６０が設けられている。ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることができる。
【００３５】
ＴＦＴアレイ基板１０上には、外部回路接続端子１０２と、データ線駆動回路１０１、走査線駆動回路１０４、上下導通端子１０６等とを電気的に接続するための引回配線９０が形成されている。
【００３６】
図２において、ＴＦＴアレイ基板１０上には、駆動素子である画素スイッチング用のＴＦＴ（Thin Film Transistor）や走査線、データ線等の配線が作り込まれた積層構造が形成されている。画像表示領域１０ａには、画素スイッチング用ＴＦＴや走査線、データ線等の配線の上層に画素電極９ａがマトリクス状に設けられている。画素電極９ａ上には、配向膜が形成されている。他方、対向基板２０におけるＴＦＴアレイ基板１０との対向面上に、遮光膜２３が形成されている。遮光膜２３は、例えば遮光性金属膜等から形成されており、対向基板２０上の画像表示領域１０ａ内で、例えば格子状等にパターニングされている。そして、遮光膜２３上に、ＩＴＯ等の透明材料からなる対向電極２１が複数の画素電極９ａと対向してベタ状に形成されている。対向電極２１上には配向膜が形成されている。また、液晶層５０は、例えば一種又は数種類のネマティック液晶を混合した液晶からなり、これら一対の配向膜間で、所定の配向状態をとる。
【００３７】
尚、ここでは図示しないが、ＴＦＴアレイ基板１０上には、データ線駆動回路１０１、走査線駆動回路１０４の他に、製造途中や出荷時の当該液晶パネルの品質、欠陥等を検査するための検査回路、検査用パターン等が形成されていてもよい。
【００３８】
次に、本実施形態に係る液晶装置の全体構成について、図３を参照して説明する。ここに図３は、液晶装置の全体構成を示すブロック図である。
【００３９】
図３に示すように、本実施形態に係る液晶装置は、液晶パネル１００を備えると共に、外部駆動回路として設けられたメモリ３２０、ＤＡ変換回路２００、制御回路３００、判定回路３１０、タイミング制御回路４００、及び電源回路７００を備えている。
【００４０】
メモリ３２０は、本発明に係る「記憶手段」の一例であり、外部からデジタル信号として入力される１系統の入力画像データＤＡＴＡを、一旦記憶する。
【００４１】
ＤＡ変換回路２００は、入力画像データＤＡＴＡをメモリ３２０から読み出して、入力画像データＤＡＴＡをデジタル信号からアナログ信号に変換し（即ち、ＤＡ変換を実行し）、画像信号ＶＩＤを生成して液晶パネル１００へ（より具体的には、外部回路接続端子１０２を介して後述する画像信号線９１へ）出力する。この際、入力画像データＤＡＴＡを、１水平走査期間毎に電位が所定の基準電位に対して正極性及び負極性に反転するように変換して、画像信号ＶＩＤを生成する。尚、ＤＡ変換回路２００の具体的構成については、後述する。また、ＤＡ変換回路２００は、１系統の入力画像データＤＡＴＡをシリアル−パラレル変換して、例えば６相、９相、１２相、２４相、４８相、９６相、…などｎ相の画像信号ＶＩＤ１〜ＶＩＤｎを生成するようにしてもよい。
【００４２】
制御回路３００は、ＤＡ変換回路２００、走査線駆動回路１０４及びデータ線駆動回路１０１の動作を制御する。
【００４３】
判定回路３１０は、本発明に係る「判定手段」の一例であり、メモリ３２０から入力画像データＤＡＴＡを読み出して、１本の走査線に対応する１ライン分毎に入力画像データＤＡＴＡの階調値が互いに同一であるか否かを判定する。判定回路３１０は、判定結果を制御回路３００へ出力する。
【００４４】
タイミング制御回路４００は、各部で使用される各種タイミング信号を出力するように構成されている。タイミング制御回路４００の一部である、図示しないタイミング信号出力部によって最小単位のクロックであり各画素を走査するためのドットクロックが作成される。このドットクロックに基づいて、Ｙクロック信号ＣＬＹ、反転Ｙクロック信号ＣＬＹｉｎｖ、Ｘクロック信号ＣＬＸ、反転Ｘクロック信号ＸＣＬｉｎｖ、ＹスタートパルスＤＹ及びＸスタートパルスＤＸが生成され、液晶パネル１００に供給される（より具体的には、Ｙクロック信号ＣＬＹ、反転Ｙクロック信号ＣＬＹｉｎｖ及びＹスタートパルスＤＹは、走査線駆動回路１０４に供給され、Ｘクロック信号ＣＬＸ、反転Ｘクロック信号ＸＣＬｉｎｖ及びＸスタートパルスＤＸは、データ線駆動回路１０１に供給される）。更に、タイミング制御回路４００は、プリチャージ回路６０（図１参照）によってプリチャージ信号ＮＲＳをデータ線６ａに供給するタイミングを規定するプリチャージ回路駆動信号ＮＲＧを生成し、液晶パネル１００に供給する。
【００４５】
電源回路７００は、対向電極２１（図２参照）に供給するための、所定の共通電位ＬＣＣＯＭの共通電源信号を、液晶パネル１００に供給する。更に、電源回路７００は、所定電位よりも高い電位の電源信号ＶＤＤ及び低い電位を有する電源信号ＶＳＳ、並びにプリチャージ信号を書き込むためのプリチャージ信号ＮＲＳを、液晶パネル１００に供給する。加えて、電源回路７００は、所定電位よりも高い電位の基準電源信号ＶｒｅｆＨ及び低い電位の基準電源信号ＶｒｅｆＬを、ＤＡ変換回路２００に供給する。
【００４６】
次に、液晶パネルの電気的な構成について、図４を参照して説明する。ここに図４は、液晶パネルの電気的な構成を示すブロック図である。
【００４７】
図４に示すように、液晶パネル１００には、そのＴＦＴアレイ基板１０上の画像表示領域１０ａの周辺に位置する周辺領域に、走査線駆動回路１０４、データ線駆動回路１０１、サンプリング回路７及びプリチャージ回路６０を含む内部駆動回路が設けられている。
【００４８】
走査線駆動回路１０４には、タイミング制御回路４００（図３参照）から外部回路接続端子１０２（図１参照）を介して、Ｙクロック信号ＣＬＹ、反転Ｙクロック信号ＣＬＹｉｎｖ及びＹスタートパルスＤＹが供給される。走査線駆動回路１０４は、ＹスタートパルスＤＹが入力されると、Ｙクロック信号ＣＬＹ及び反転Ｙクロック信号ＣＬＹｉｎｖに基づくタイミングで、走査信号Ｇｉ（但し、ｉ＝１、…、ｍ）を順次生成して出力する。走査線駆動回路１０４には、電源回路７００（図３参照）から外部回路接続端子１０２を介して、電源信号ＶＤＤ及びＶＳＳが供給される。
【００４９】
データ線駆動回路１０１には、タイミング制御回路４００から外部回路接続端子１０２を介して、Ｘクロック信号ＣＬＸ、反転Ｘクロック信号ＣＬＸｉｎｖ及びＸスタートパルスＤＸが供給される。データ線駆動回路１０１は、ＸスタートパルスＤＸが入力されると、Ｘクロック信号ＣＬＸ及び反転Ｘクロック信号ＸＣＬＸｉｎｖに基づくタイミングで、サンプリング信号Ｓｉ（但し、ｉ＝１、２、…、ｎ）を順次生成して出力する。データ線駆動回路１０１には、電源回路７００から外部回路接続端子１０２を介して、電源信号ＶＤＤ及びＶＳＳが供給される。
【００５０】
サンプリング回路７は、データ線６ａ毎に設けられた複数のサンプリングスイッチ７１を備えている。各サンプリングスイッチ７１には、ＤＡ変換回路２００（図３参照）から外部回路接続端子１０２及び画像信号線９１を介して、画像信号ＶＩＤが供給され、データ線駆動回路１０１から出力されるサンプリング信号Ｓｉにより各サンプリングスイッチ７１は順次閉じられる。即ち、画像信号ＶＩＤをデータ線６ａ毎にサンプリング信号Ｓｉに応じてサンプリングして、複数のデータ線６ａにデータ信号Ｄｉ（但し、ｉ＝１、２、…、ｎ）として夫々印加するように構成されている。
【００５１】
より具体的には、サンプリングスイッチ７１は、例えばＰチャネル型又はＮチャネル型の片チャネル型ＴＦＴ若しくは相補型のＴＦＴから構成されており、画像信号線９１がサンプリングスイッチ７１のソース電極に接続されており、サンプリング信号線９２がサンプリングスイッチ７１のゲート電極に接続されている。そして、画像信号線９１を介して画像信号ＶＩＤが入力されると共にサンプリング信号線９２を介してデータ線駆動回路１０１からサンプリング信号Ｓｉが入力されると、画像信号ＶＩＤをサンプリングして、各データ線６ａにデータ信号Ｄｉとして印加するように構成されている。
【００５２】
プリチャージ回路６０は、データ線６ａ毎に設けられたスイッチング素子であるＴＦＴ６１を備えている。プリチャージ信号線９３がＴＦＴ６１のソース電極に接続されており、プリチャージ回路駆動信号線９４がＴＦＴ６１のゲート電極に接続されている。そして、プリチャージ信号線９３を介してプリチャージ信号ＮＲＳが供給され、プリチャージ回路駆動信号線９４を介してプリチャージ回路駆動信号ＮＲＧが供給される。プリチャージ回路６０は、プリチャージ回路駆動信号ＮＲＧによって規定される期間（即ち、本実施形態では、１水平走査期間における帰線期間）に、プリチャージ信号ＮＲＳを供給する。本実施形態では、プリチャージ信号ＮＲＳとして、黒色に対応する所定電位レベルの信号が、プリチャージ信号線９３に供給され、プリチャージ回路駆動信号ＮＲＧに応じたタイミングで、各データ線６ａに書き込まれる。
【００５３】
図４に示すように、ＴＦＴアレイ基板１０の画像表示領域１０ａを構成するマトリクス状に形成された複数の画素には、それぞれ、画素電極９ａと該画素電極９ａをスイッチング制御するためのＴＦＴ３０とが形成されており、データ信号Ｄｉが供給されるデータ線６ａが当該ＴＦＴ３０のソースに電気的に接続されている。データ線６ａに書き込むデータ信号Ｄｉは、この順に線順次に供給しても構わないし、相隣接する複数のデータ線６ａ同士に対して、グループ毎に供給するようにしてもよい。
【００５４】
また、ＴＦＴ３０のゲートに走査線１１ａが電気的に接続されている。走査線１１ａには、走査線駆動回路１０４から所定のタイミングで走査信号Ｇ１、Ｇ２、…、Ｇｍが、この順に線順次で印加されるように構成されている。尚、本実施形態では、説明の簡単のため、走査信号Ｇ１、Ｇ２、…、Ｇｍがこの順に線順次で走査線１１ａに印加されるように構成しているが、走査信号Ｇｉ（但し、ｉ＝１、２、…、ｍ）が走査線１１ａに印加される順序は、任意の順序であってもよい。画素電極９ａは、ＴＦＴ３０のドレインに電気的に接続されており、スイッチング素子であるＴＦＴ３０を一定期間だけそのスイッチを閉じることにより、データ線６ａから供給されるデータ信号Ｄｉを所定のタイミングで書き込む。
【００５５】
画素電極９ａを介して液晶に書き込まれた所定レベルのデータ信号Ｄｉ（但し、ｉ＝１、２、…、ｎ）は、対向基板２０（図２参照）に形成された対向電極２１（図２参照）との間で一定期間保持される。液晶は、印加される電圧レベルにより分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として液晶装置からは画像信号に応じたコントラストをもつ光が出射する。
【００５６】
ここで保持された画像信号がリークするのを防ぐために、画素電極９ａと対向電極２１との間に形成される液晶容量と並列に蓄積容量７０が付加されている。蓄積容量７０の一方の電極は、画素電極９ａと並列してＴＦＴ３０のドレインに接続され、他方の電極は、定電位となるように、電位固定の容量配線４００に接続されている。
【００５７】
次に、ＤＡ変換回路の電気的な構成について、図５を参照して説明する。ここに図５は、ＤＡ変換回路の等価回路図である。
【００５８】
図５に示すように、ＤＡ変換回路２００は、いわゆるＲ−２Ｒのラダー（はしご）回路を用いてＤＡ変換を行うものであり、電圧分割型の回路である。ＤＡ変換回路２００は、８ビット形式（言い換えれば、２８＝２５６階調）のデジタル信号である入力画像データＤＡＴＡの各ビット（最上位ビットをＭＳＢ、以下、２ＳＢ、３ＳＢ、…、７ＳＢ、最下位ビットをＬＳＢとする）に対応してスイッチＳｗ１〜Ｓｗ８を備えている。これらの各スイッチＳｗ１〜Ｓｗ８は、対応ビットが「１」である場合には端子ａに接続する一方、対応ビットが「０」である場合には端子ｂに接続するものである。ここで、説明の便宜上、端子ａに接続する場合を、当該スイッチがオンであるとし、端子ｂに接続する場合を、当該スイッチがオフであるものとする。また、各スイッチＳｗ１〜Ｓｗ８の端子ａは、基準電位ＶｒｅｆＨが供給される信号線に接続される一方、端子ｂは、基準電位ＶｒｅｆＬが供給される信号線に接続されている。
【００５９】
また、各スイッチＳｗ１〜Ｓｗ８の共通端子は、それぞれ抵抗値が２Ｒである抵抗２２０を介して接続点Ａ〜Ｈに接続されている。また、各接続点Ａ〜Ｈにおいて、互いに隣接する接続点間は、抵抗値がＲである抵抗２１０を介して接続されている。このため、抵抗値が２Ｒの抵抗２２０と、抵抗値がＲの抵抗２１０とで構成されたラダー回路において、各抵抗２１０及び２２０の接続点Ａ〜Ｈの各々から上位ビット方向、下位ビット方向、および、スイッチ方向のいずれをみても、抵抗値が２Ｒとなるように形成されている。そして、接続点ＡがラインＬに接続されて、ＤＡ変換回路２００の出力端Ｅｏｕｔとなっている。
【００６０】
このような構成において、スイッチＳｗ１〜Ｓｗ８のうち、「１」である入力ビットに対応するスイッチがオンすると、出力端Ｅｏｕｔには、各ビットの重みに対応する電圧が出力される。即ち、入力画像データＤＡＴＡの階調に応じた電圧を有する画像信号ＶＩＤがＤＡ変換回路２００の出力端Ｅｏｕｔから出力される、つまり、入力画像データＤＡＴＡがデジタル信号からアナログ信号へＤＡ変換されて、画像信号ＶＩＤとして出力端Ｅｏｕｔから出力される。例えば、最上位ビットＭＳＢが「１」であれば、スイッチＳｗ１がオンすることにより、ΔＶｒｅｆ／２（但し、ΔＶｒｅｆ＝ＶｒｅｆＨ−ＶｒｅｆＬ）の電圧が、また、それよりも２ビット下位の３ＳＢが「１」であれば、スイッチＳｗ３がオンすることにより、ΔＶｒｅｆ／８の電圧が、それぞれ出力端Ｅｏｕｔに発生することとなる。
【００６１】
次に、本実施形態に係る液晶装置を駆動する駆動方法について、図３に加えて、図６を参照して説明する。ここに図６は、ＤＡ変換回路の動作を停止する期間を示す模式図である。
【００６２】
図３において、本実施形態では特に、１本の走査線１１ａに対応する１ライン分の入力画像データＤＡＴＡの階調値が互いに同一である場合には、制御回路３００による制御下で、ＤＡ変換回路２００によるＤＡ変換の実行が停止される。即ち、１本の走査線１１ａに電気的に接続されたｎ個の画素電極９ａに互いに同一の電圧レベルの画像信号ＶＩＤが供給されるべき期間中は、ＤＡ変換回路２００によるＤＡ変換が実行されない。
【００６３】
より具体的には、図３において、外部からデジタル信号として入力された入力画像データＤＡＴＡは、メモリ３２０に一旦記憶される。次に、メモリ３２０から入力画像データＤＡＴＡが、１ライン分毎に判定回路３１０によって読み出される。判定回路３１０は、読み出した１ライン分の入力画像データＤＡＴＡの階調値が互いに同一であるか否かを判定する。判定回路３１０は、判定結果を制御回路３００へ出力する。１ライン分の入力画像データＤＡＴＡの階調値が互いに同一であると判定回路３１０によって判定された場合には、制御回路３００は、ＤＡ変換の実行を停止するように、ＤＡ変換回路２００を制御する。他方、１ライン分の入力画像データＤＡＴＡの階調値が互いに同一ではないと判定回路３１０によって判定された場合には、制御回路３００は、通常どおり、ＤＡ変換を実行するように、ＤＡ変換回路２００を制御する。
【００６４】
即ち、図６に示すように、例えば、横縦比が４：３の画像表示領域１０ａに、横縦比が１６：９のワイドサイズの画像を表示する場合に、該画像を表示するための画像領域１０ｂ（即ち、ラインＧＬ５からＧＬｍ−４）の上下に位置する黒色領域１０ｃ（即ち、ラインＧＬ１〜ＧＬ４及びＧＬｍ−３〜ＧＬｍ）を黒色で表示する期間中など、画像表示領域１０ａにおける走査線１１ａに対応するラインＧＬｉ（ｉ＝１、２、…、ｍ）が同一輝度或いは同一色（本実施形態では、黒色）で表示される期間中は、制御回路３００による制御下で、ＤＡ変換回路２００によるＤＡ変換が停止される。このようにＤＡ変換の実行が停止されていても、ＤＡ変換回路２００からの画像信号ＶＩＤの供給に先立って、プリチャージ回路６０によって黒色に対応したプリチャージ信号ＮＲＳが各データ線６ａに供給されているので、ＤＡ変換の実行が通常通りに行われている場合と同様に、画像表示領域１０ａにおける黒色領域１０ｃに黒色が表示される。即ち、階調値が同一である１ライン（本実施形態では、黒色のラインＧＬ１〜ＧＬ４及びＧＬｍ−３〜ＧＬｍ）についての表示は、入力画像データＤＡＴＡに対応した通りに、問題なく行われることになる。
【００６５】
よって、黒色領域１０ｃ（即ち、ラインＧＬ１〜ＧＬ４及びＧＬｍ−３〜ＧＬｍ）を黒色で表示する期間中にＤＡ変換回路２００において消費される消費電力を殆ど或いは好ましくは完全に無くすことができる。従って、液晶装置全体として低消費電力化を図ることが可能である。
【００６６】
図３及び図５において、本実施形態では特に、黒色領域１０ｃ（即ち、ラインＧＬ１〜ＧＬ４及びＧＬｍ−３〜ＧＬｍ）を黒色で表示する期間中は、ＤＡ変換回路２００によるＤＡ変換の実行を停止するために、ＤＡ変換回路２００内の複数の抵抗２１０及び２２０に電流が流れないように、制御回路３００によって制御される。よって、ＤＡ変換回路２００の有する複数の抵抗２１０及び２２０における消費電力を殆ど或いは完全に無くすことができる。
＜第２実施形態＞
次に、第２実施形態に係る液晶装置について、図７を参照して説明する。ここに図７は、第２実施形態におけるデータ線の駆動に係る回路及び配線を示すブロック図である。尚、図７において、図１から図５に示した第１実施形態に係る構成要素と同様の構成要素に同一の参照符合を付し、それらの説明は適宜省略する。
【００６７】
図７に示すように、本実施形態に係る液晶装置は、ＴＦＴアレイ基板１０上に複数のスイッチ８１、電源電位供給線９５、スイッチ８５及び制御信号線９６を更に備えている点で、上述した第１実施形態に係る液晶装置と異なり、その他の点については、上述した第１実施形態に係る液晶装置と概ね同様に構成されている。尚、複数のスイッチ８１、電源電位供給線９５、スイッチ８５及び制御信号線９６は、本発明に係る「電源電位供給手段」の一例を構成する。
【００６８】
スイッチ８１は、サンプリングスイッチ７１と同様に、例えばＰチャネル型又はＮチャネル型の片チャネル型ＴＦＴ若しくは相補型のＴＦＴから構成されており、データ線６ａ毎に設けられている。スイッチ８１のソース電極には、電源電位供給線９５が接続されており、スイッチ８１のゲート電極には、制御信号線９６が接続されており、スイッチ８１のドレイン電極には、データ線６ａが接続されている。スイッチ８５のスイッチング動作は、制御回路３００によって制御可能に構成されている。電源電位供給線９５には、スイッチ８５のスイッチング動作に応じて、電源信号ＶＤＤ又はＶＳＳが供給されるように構成されている。より具体的には、画像信号ＶＩＤが極性反転する所定周期に合わせて、電源信号ＶＤＤ及びＶＳＳが交互に電源電位供給線９５に供給されるように構成されている。制御信号線９６には、制御回路３００から外部回路接続端子１０２を介して、ＤＡ変換回路２００におけるＤＡ変換の実行が停止されている期間中にスイッチ８１をオン状態とする制御信号ＣＳ１が供給されるように構成されている。即ち、ＤＡ変換回路２００におけるＤＡ変換の実行が停止されている期間中、スイッチ８１には、電源電位信号線９９を介して電源信号ＶＤＤ又はＶＳＳが供給されると共に、制御信号線９６を介して制御信号ＣＳ１が供給されるように構成されている。尚、ＤＡ変換回路２００におけるＤＡ変換の実行が停止されている期間中は、サンプリングスイッチ７１をオフ状態(即ち、非導通状態)としてもよいし、画像信号線９１に画像信号ＶＩＤが供給されないようにしてもよい。
【００６９】
上述の如く構成されているので、ＤＡ変換回路２００におけるＤＡ変換の実行が停止されている期間中に、各データ線６ａに対して、スイッチ８１を介して、電源信号ＶＤＤ及びＶＳＳを、画像信号ＶＩＤが極性反転する所定周期に合わせて交互に印加することができる。即ち、入力画像データＤＡＴＡがＤＡ変換されて画像信号ＶＩＤとしてデータ線６ａ（言い換えれば、データ線６ａと電気的に接続された画素電極９ａ）に供給されるのに代えて、画像信号ＶＩＤが極性反転する所定周期で、電源信号ＶＤＤ及びＶＳＳを交互に画素電極９ａに供給することができる。従って、ＤＡ変換回路２００におけるＤＡ変換の実行が停止されている期間中に、電源信号ＶＤＤ及びＶＳＳに対応する同一の階調のラインを確実に表示できる。この際、ＤＡ変換回路２００におけるＤＡ変換の実行が停止されているので、装置の消費電力を低減することができる。
【００７０】
尚、本実施形態では、画像信号ＶＩＤは、所定周期で極性反転されており、電源信号ＶＤＤは、正極性側の黒色に対応し、電源信号ＶＳＳは、負極性側の黒色に対応している。
【００７１】
尚、変形例として、電源回路７００から画像信号ＶＩＤが極性反転する所定周期で、電源信号ＶＤＤ及びＶＳＳを交互に出力するようにし、外部回路接続端子１０２を介して電源電位供給線９５に供給するようにしてもよい。この場合にも、同一の階調のラインを確実に表示できる。
＜第３実施形態＞
次に、第３実施形態に係る液晶装置について、図８を参照して説明する。ここに図８は、第３実施形態における図７と同趣旨のブロック図である。尚、図８において、図１から図５に示した第１実施形態に係る構成要素と同様の構成要素に同一の参照符合を付し、それらの説明は適宜省略する。
【００７２】
図８に示すように、ＴＦＴアレイ基板１０上に複数のスイッチ８３、電位信号供給線９７、及び制御信号線９８を更に備えると共に、液晶パネルと別体として電位信号供給回路６００を備えている点で、上述した第１実施形態に係る液晶装置と異なり、その他の点については、上述した第１実施形態に係る液晶装置と概ね同様に構成されている。尚、複数のスイッチ８３、電位信号供給線９７、制御信号線９８及び電位信号供給回路６００は、本発明に係る「電位信号供給手段」の一例を構成する。
【００７３】
スイッチ８３は、サンプリングスイッチ７１と同様に、例えばＰチャネル型又はＮチャネル型の片チャネル型ＴＦＴ若しくは相補型のＴＦＴから構成されており、データ線６ａ毎に設けられている。スイッチ８３のソース電極には、電位信号供給線９７が接続されており、スイッチ８３のゲート電極には、制御信号線９８が接続されており、スイッチ８３のドレイン電極には、データ線６ａが接続されている。電位信号供給線９７は、電位信号供給回路６００と、外部回路接続端子１０２を介して電気的に接続されている。
【００７４】
電位信号供給回路６００は、入力画像データＤＡＴＡの階調値に対応する複数の電位のうちいずれかの電位を有する電位信号Ｖｓを出力可能に構成されている。即ち、電位信号供給回路６００は、電圧制御或いは電源制御回路として構成されており、階調値に応じて必要な複数の電圧レベルを発生させることが可能に構成されている。
【００７５】
制御信号線９８には、制御回路３００から外部回路接続端子１０２を介して、ＤＡ変換回路２００におけるＤＡ変換の実行が停止されている期間中にスイッチ８３をオン状態とする制御信号ＣＳ２が供給されるように構成されている。即ち、ＤＡ変換回路２００におけるＤＡ変換の実行が停止されている期間中、スイッチ８３には、電位信号供給線９７を介して電位信号Ｖｓが供給されると共に、制御信号線９６を介して制御信号ＣＳ２が供給されるように構成されている。尚、ＤＡ変換回路２００におけるＤＡ変換の実行が停止されている期間中は、サンプリングスイッチ７１をオフ状態としてもよいし、画像信号線９１に画像信号ＶＩＤが供給されないようにしてもよい。
【００７６】
上述の如く構成されているので、ＤＡ変換回路２００におけるＤＡ変換の実行が停止されている期間中に、各データ線６ａに対して、スイッチ８３を介して、任意の電位信号Ｖｓを印加することができる。即ち、入力画像データＤＡＴＡがＤＡ変換されて画像信号ＶＩＤとしてデータ線６ａ（言い換えれば、データ線６ａと電気的に接続された画素電極９ａ）に供給されるのに代えて、任意の電位信号Ｖｓを画素電極９ａに供給することができる。従って、ＤＡ変換回路２００におけるＤＡ変換の実行が停止されている期間中に、任意の電位信号Ｖｓに対応する同一の階調のラインを確実に表示できる。この際、ＤＡ変換回路２００におけるＤＡ変換の実行が停止されているので、装置の消費電力を低減することができる。
＜電子機器＞
次に、上述した電気光学装置である液晶装置を各種の電子機器に適用する場合について説明する。
【００７７】
この液晶装置をライトバルブとして用いたプロジェクタについて、図９を参照して説明する。ここに図９は、プロジェクタの構成例を示す平面図である。
【００７８】
図９に示すように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６及び２枚のダイクロイックミラー１１０８によってＲＧＢの３原色に分離され、各原色に対応するライトバルブとしての液晶パネル１１１０Ｒ、１１１０Ｂ及び１１１０Ｇに入射される。
【００７９】
液晶パネル１１１０Ｒ、１１１０Ｂ及び１１１０Ｇの構成は、上述した液晶装置と同等であり、Ｒ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、Ｒ及びＢの光が９０度に屈折する一方、Ｇの光が直進する。従って、各色の画像が合成される結果、投射レンズ１１１４を介して、スクリーン等にカラー画像が投写されることとなる。
【００８０】
このプロジェクタ１１００は、上述した液晶装置を用いたことにより、消費電力を低減可能である。
【００８１】
尚、図９を参照して説明した電子機器の他にも、モバイル型のパーソナルコンピュータ、や携帯電話、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等が挙げられる。そして、これらの各種電子機器に適用可能なのは言うまでもない。
【００８２】
また本発明は、上述の実施形態で説明した液晶装置以外にも、シリコン基板上に素子を形成する反射型液晶装置（ＬＣＯＳ）、プラズマディスプレイ（ＰＤＰ）、電界放出型ディスプレイ（ＦＥＤ、ＳＥＤ）、有機ＥＬディスプレイ、デジタルマイクロミラーデバイス（ＤＭＤ）、電気泳動装置等にも適用可能である。
【００８３】
本発明は、上述した実施形態に限られるものではなく、請求の範囲及び明細書全体から読み取れる発明の要旨或いは思想に反しない範囲で適宜変更可能であり、そのような変更を伴う電気光学装置用駆動回路及び電気光学装置用駆動方法、並びに電気光学装置及び電子機器もまた本発明の技術的範囲に含まれるものである。
【図面の簡単な説明】
【００８４】
【図１】第１実施形態に係る液晶装置における液晶パネルの全体構成を示す平面図である。
【図２】図１のＨ−Ｈ´線断面図である。
【図３】第１実施形態に係る液晶装置の全体構成を示すブロック図である。
【図４】第１実施形態に係る液晶パネルの電気的な構成を示すブロック図である。
【図５】第１実施形態に係るＤＡ変換回路の等価回路図である。
【図６】第１実施形態に係るＤＡ変換回路の動作を停止する期間を示す模式図である。
【図７】第２実施形態におけるデータ線の駆動に係る回路及び配線を示すブロック図である。
【図８】第３実施形態における図７と同趣旨のブロック図である。
【図９】電気光学装置を適用した電子機器の一例たるプロジェクタの構成を示す平面図である。
【符号の説明】
【００８５】
６ａ…データ線、７…サンプリング回路、９ａ…画素電極、１１ａ…走査線、１０…ＴＦＴアレイ基板、１０ａ…画像表示領域、２０…対向基板、２１…対向電極、２３…遮光膜、５０…液晶層、５２…シール材、５３…額縁遮光膜、６０…プリチャージ回路、６１…ＴＦＴ、７１…サンプリングスイッチ、８１、８３…スイッチ、９１…画像信号線、９２…サンプリング信号線、９３…プリチャージ信号線、９４…プリチャージ回路駆動信号線、９５…電源電位供給線、９６…制御信号線、９７…電位信号供給線、９８…制御信号線、１０１…データ線駆動回路、１０２…外部回路接続端子、１０４…走査線駆動回路、１０６…上下導通端子、１０７…上下導通材、２００…ＤＡ変換回路、２１０、２２０…抵抗、３００…制御回路、３１０…判定回路、３２０…メモリ、４００…タイミング制御回路、７００…電源回路
【図１】
2008003347.tif 000003
【図２】
2008003347.tif 000004
【図３】
2008003347.tif 000005
【図４】
2008003347.tif 000006
【図５】
2008003347.tif 000007
【図６】
2008003347.tif 000008
【図７】
2008003347.tif 000009
【図８】
2008003347.tif 000010
【図９】
2008003347.tif 000011